(57)【特許請求の範囲】
【請求項１】
フライト乗務員のための防護ゴーグル（２）の保管ケース（１）であって、
ケース底部（３）と、
二つのドア（４，５）であって、
該ケース底部（３）と前記ドア（４，５）との間で、前記ケース（１）内にゴーグル（２）を保持するための閉鎖手段（１３）と一体とされ、
二つの終端位置であって、その第１のものを、前記ドア（４，５）が前記ゴーグル（２）の少なくとも一部を覆う位置である閉位置とし、かつ、その第２のものを、前記ケース（１）から前記ゴーグル（２）を取り出し可能とするよう前記ドア（４，５）が互いに離間される位置である開位置として、前記閉位置と前記開位置との間で、前記ケース底部（３）に繋げられた二つのドア（４，５）と、
を備えてなるものにおいて、
前記二つのドア（４，５）が、ケース（１）の中央面（Ｐ）に対して対称に配され、
前記各ドア（４，５）には、ドア（４，５）の前記閉位置にて前記中央面（Ｐ）に接近する閉鎖端（１７）が配され、
該閉鎖端（１７）には、前記ゴーグル（２）が前記ケース（１）内に配置されるとき、前記ドア（４，５）の前記閉位置において、使用者が片手で前記ゴーグル（２）を把持可能な少なくとも一つのくぼみ（１８，１９）が配されていることを特徴とする保管ケース。
【請求項２】
請求項１に記載のケースであって、
前記閉鎖手段（１３）が、一つの安定位置を有する蝶番とされ、
ケース（１）に前記ゴーグル（２）を保持可能に構成される、前記ドア（４，５）の前記閉位置が、前記蝶番（１３）の安定位置であることを特徴とする保管ケース。
【請求項３】
請求項１に記載の保管ケースであって、
ケース（１）に前記ゴーグル（２）を保持し、前記ドア（４，５）の前記閉位置に相当する第一安定位置と、ドア（４，５）が自身では閉まらない、前記開位置に相当する第二安定位置と、を有する二段階安定蝶番（１３）によって、
前記ドア（４，５）が、前記ケース底部（３）に関節結合されていることを特徴とする保管ケース。
【請求項４】
請求項１から請求項３の何れか一つに記載の保管ケースであって、
前記ケース底部（３）が：
二つの側壁（６，７）と、それから直交するように延在しかつ開放面（１４）を形成する上部壁（８）および下部壁（９）と；
前記側壁（６，７）に対して直交する二つの脚表面（１１）と；
前記ケース（１）が開放されたときでさえ、前記防護ゴーグル（２）が前記ケース（１）内に保持可能となるような構成を備えた、前記脚表面（１１）から前記開放面（１４）まで延在するガイド面（１５）と；
を具備してなることを特徴とする保管ケース。
【請求項５】
請求項４に記載の保管ケ−スであって、
前記二つの側壁（６，７）の互いの距離（ｅ）は、両目方向に対して平行な方向における前記ゴーグル（２）の幅よりも小さいことを特徴とする保管ケース。
【請求項６】
請求項１から５の何れか一つに記載の保管ケースであって、
前記各ドア（４，５）の閉鎖端（１７）には、
前記ゴーグル（２）を前記ケース（１）内に保管しかつ前記ドア（４，５）が前記閉位置にある際に前記ゴーグル（２）の使用者の鼻を覆う部分に略沿うように配置された少なくとも一つの下部くぼみ（１９）が配され、
該下部くぼみ（１９）が、前記ドア（４，５）の他方に配された前記下部くぼみ（１９）とともに、前記ゴーグル（２）の使用者の鼻を覆う部分を介して、使用者の手の一方のみの二本の指の間で前記ゴーグル（２）を把持可能に、かつ、前記ドア（４，５）を最初に開けることなく使用者の片手のみでケース（１）内から前記ゴーグル（２）を取り出し可能になるほど十分に大きな通路を形成していることを特徴とする保管ケース。
【請求項７】
請求項１から５の何れか一つに記載の保管ケースであって、
前記各ドア（４，５）の閉鎖端（１７）に、それぞれ二つのくぼみ（１８，１９）が配され、
一方を上部くぼみ（１８）、他方を下部くぼみ（１９）とするとき、
前記上部くぼみ（１８）が、他方のドア（４，５）に配された上部くぼみ（１８）とともに、前記ゴーグル（２）の一端に使用者の手の第一の指を掛けることができるほど十分に大きな上部通路を形成し、
前記下部くぼみ（１９）が、他方のドア（４，５）に配された下部くぼみ（１９）とともに、前記ゴーグル（２）の他端に使用者の同じ手の第二の指を掛けることができるほど十分に大きな下部通路を形成し、それによって、最初に前記ドア（４，５）を開けることなく、かつ使用者の片手のみでケース（１）から前記ゴーグル（２）を取り出し可能になっていることを特徴とする保管ケース。
【請求項８】
請求項１から７の何れか一つに記載の保管ケースであって、
前記ドア（４，５）が、透明部材で構成されていることを特徴とする保管ケース。
【発明の詳細な説明】
【技術分野】
【０００１】
本発明は、フライト乗務員のための防煙ゴーグルのような保護ゴーグルの保管ケースに関する。
【発明の開示】
【課題を解決するための手段】
【０００２】
より詳細には、本発明は、ケース底部と、少なくとも二つのドアとを備えるものに関する。これら二つのドアは、ケースの底部とドアとの間のケース内に配された、ゴーグルを保持するための閉鎖手段を備えている。これらのドアは、ケース底部にて、保護ゴーグルの少なくとも一部を遮蔽する閉位置と、ケースから保護ゴーグルを取り出すために互いに離間して配されたドアの開位置との間で連結されている。
【０００３】
これらの構成により、ケースは、保護ゴーグルを保管し、かつ、使用が望まれないときに保管した保護ゴーグルの少なくとも一部を保護することができる。
【０００４】
本発明のより好ましい実施形態としては、以下に示す構成の一つ及び／又はその他のものを備えたものとすることができる。
・ 閉鎖手段が、保護ゴーグルがケースの底部に保持されていない場合でも、保護ゴーグルを保持するように、ドアを閉じた位置で安定した状態となる単一安定蝶番（mono-stable hinge）を備えていること。
・ ドアが、二段階安定蝶番（bi-stable hinge）によってケースの底部に関節結合されていること。この蝶番の第一安定位置は、保護ゴーグルがケース底部に保持されていない場合でも、保護ゴーグルを保持するようなドアの閉位置とされ、第二安定位置は、ドアが自身で閉まらないような開位置とされている。
・ ケース底部が、ケースが開いたときでもケース内の保護ゴーグルを保持する形状になっていること。
・ ケースの底部には、少なくとも一部が保護ゴーグルの幅よりも小さい距離で互いに離間した側壁が配されていること。
・ ケースが、ゴーグルの左右対称面に対応する中心平面に対して対称に配された二つのドアを備えていること。各ドアは、中心平面に接近してドアを閉鎖位置とする閉鎖端が配されている。この閉鎖端は、ゴーグルをケース内に保管したときに、ゴーグルを把持する少なくとも一つのくぼみが配されている。
・ 各ドアの閉鎖端には、ゴーグルをケース内に保管したとき、ゴーグルの鼻を覆う部分と一致するように少なくとも一つの下部くぼみが配されていること。この下部くぼみは、他方のドアのくぼみとともに、ゴーグルの鼻を覆う部分を介してゴーグルを把持することができるように、かつ、ドアを最初に開けなくても片手でケースからゴーグルを取り外すことができるようになっている。
・ 各ドアの閉鎖端に、二つのくぼみを有していること。即ち、ドアを最初に開けなくても片手でケースからゴーグルを取り外すために、他方のドアとともにゴーグルの端部に第一の指を掛けることができる上部くぼみ、及び、他方のドアとともにゴーグルの別の端部に第二の指を掛けることができる下部くぼみである。
・ ドアが透明であること。
【０００５】
本発明に係る他の側面、目的、有利な点について、以下の実施形態についての説明から明らかになるであろう。
【発明を実施するための最良の形態】
【０００６】
本発明の実施形態について、以下説明する。
【０００７】
本実施形態に係るケース１は、保護ゴーグル２を保管するものである。このケース１は、飛行機のコクピットに通常配置されている。ゴーグル２は、例えば、防煙用のものである。
【０００８】
図１に示すように、このケース１は、ケース底部３と二つのドア４，５を備えている。ケース１の他の形態としては、さらに多くのドアを備えてもよく、例えば、対角線に対して対称位置に四つのドアが配されたものとしてもよい。ドア４，５は、閉めた際にケース１の外側に突出するように形成されている。ドア４，５は、ケース１に保管されたゴーグル２を確認でき、かつ、これらのゴーグル２のレンズ部分の状態をチェック可能に透明部材からなる。
【０００９】
ケース底部３は、二つの側壁６，７と、上部壁８と、下部壁９とにより略長方形状とされている。これら四つの壁部、即ち、二つの側壁６，７、上部壁８、下部壁９は、ケース底部３から略直角方向に延びて配され、開放部と略長方形面１４を形成している。
【００１０】
ケース底部３は、二つの脚部１０が配されている。各脚部１０は、側壁６，７に隣接してこれに略直交する表面１１を備えている。この表面１１には、フライト乗務員の手の届く範囲内でコクピットを仕切る支持部に固定するための二つの穴１２が配されている。
【００１１】
各側壁には閉鎖手段１３が配されている。これら閉鎖手段１３は、例えば、蝶番である。各蝶番１３は、ドア４，５を支持し、かつ、開放面１４の一つの小さい側面と略平行なＺ軸回りに開閉させる。ドア４，５は、ケース底部３の少なくとも二つの終端位置、即ち、（図３に示す）ゴーグル２の少なくとも一部を覆う閉位置と、（図１及び図２に示す）ケース１からゴーグル２を取り出すことができるように互いに離間した開位置との間で移動可能にケース底部に取り付けられている。
【００１２】
蝶番１３は、二段階安定蝶番である。ヒンジの第一安定位置は、ドアを閉じた位置となっている（図３に示す。）。この位置にて、閉鎖手段１３は、ゴーグルがケース底部３で保持されていない状態でも、ケース底部３とドア４，５との間での力によってケース１内にゴーグル２を保持するようになっている。蝶番１３は、第二安定位置は、ドア４，５が開いた位置となっている。この第二安定位置は、自身によって閉じてしまうことのない位置となっている。これにより、ユーザは、ドア４，５を開けて片手のみでケース１の奥にゴーグル２を載置することができる。
【００１３】
図２に示すように、側壁６，７間の距離ｅは、ドア４，５が開いた状態でもケース１内にゴーグル２を保持するように規定されている。そのため、この距離ｅは、両目方向と平行する方向のゴーグル２の幅よりも小さい。ケース底部３には、ゴーグル２を挿入しやすいように、かつ、ゴーグル２をケース底部３に導入するのに十分な力でゴーグル２の両端１６を固定するように、表面１１から開放面１４に延びるガイド面１５が配されている。そのため、ユーザは、片手でケース底部３にゴーグル２を固定することができ、ユーザが手を離してもその位置に留めてくことができる。
【００１４】
図３に示すように、二つのドア４，５は、ゴーグルの両側を対称面とするケースの中央面Ｐに対して対称に配されている。
【００１５】
各ドア４，５には、ドア４，５の閉位置にて中央面Ｐに接近する閉鎖端１７が配されている。この閉鎖端１７は、上部くぼみ１８と下部くぼみ１９とが配されている。
【００１６】
ドア４の上部くぼみ１８は、他のドア５の上部くぼみとともに、ゴーグル２の一端におけるＨ点に指を掛けられるようになっている。ゴーグル２がケース１内にあるときは、ゴーグル２の鼻を覆う部分に略沿って配されている。ドア４の下部くぼみ１９は、他のドア５の下部くぼみとともに、略三角形状の凹部を形成し、ゴーグル２の他端におけるＢ点に第二の指を掛けられるようになっている。そのため、ユーザは、Ｂ点とＨ点との間で、二つの指でゴーグルを把持することができ、片手でケース３からゴーグル２を取り出すことができる。ドア４，５の凸部は、ゴーグルの引き出しを妨害することのないようにされており、最初にドア４，５を開ける必要がない。
【００１７】
ドア４，５を閉じたときに下部くぼみ１９によって形成される略三角形状の凹部は、ゴーグル２の鼻を覆う部分を介してゴーグル２を把持可能になっている。この配列は、特に、取外し可能なゴーグルを有するマスクに見られる。上述したように、最初にドア４，５を開けなくても、ケース底部３から片手でゴーグル２を取り出すことができる。
【００１８】
本発明によれば、ケース１は、様々なタイプの防煙ゴーグルを保管することができる一方、保管されたゴーグル２を素早く取り出すことができる。そのため、本発明によれば、ユーザは、ケースに保管されたゴーグルを法で規定された１５秒以内で着用することができる。
【図面の簡単な説明】
【００１９】
【図１】本発明に係るゴーグル保管用ケースの一実施形態において、ドアを開けた状態を示す背面斜視図である。
【図２】図１に示すケースの実施形態においてドアを開けた状態の概要を示す斜視図である。
【図３】図２に示すケースにおいて、ケースにゴーグルを保管してドアを閉めた状態を示す図である。
【符号の説明】
【００２０】
１  ケース（保管ケース）
２  ゴーグル
３  ケース底部
４，５  ドア
６，７  側壁
１３  蝶番（閉鎖手段）
１７  閉鎖端
１８  上部くぼみ
１９  下部くぼみ
【図１】
0004394580.tif 000002
【図２】
0004394580.tif 000003
【図３】
0004394580.tif 000004